(57)【特許請求の範囲】
【請求項１】
コンクリート構造物の表面の一部または全体を浸す液体と、
各振動子が前記液体に浸るよう設けられ、前記コンクリート構造物に向けて疎密波からなる超音波を前記各振動子から発震する複数の超音波探触子と、
受振部が前記液体に浸るよう設けられ、前記超音波の反射波を受振する受振器と、
前記複数の超音波探触子から各々発震される前記超音波の位相をそれぞれ制御する制御装置と、
前記受振器からの受振情報を解析し前記コンクリート構造物の内部の異物を認識する解析装置とを備え、
前記制御装置は、前記コンクリート構造物の表面でせん断波が生起されて該せん断波が前記コンクリート構造物の内部を伝播するよう、前記複数の超音波探触子から各々発震される前記超音波間に位相差を付与し、
前記受振器は、前記コンクリート構造物の内部で反射して前記コンクリート構造物の表面でせん断波から疎密波に変換されて前記液体中を伝播する超音波を反射波として受振する、コンクリート構造物の異物検査システム。
【請求項２】
前記制御装置は、前記複数の超音波探触子から各々発震される前記超音波間に半周期の位相差を付与する、請求項１に記載のコンクリート構造物の異物検査システム。
【請求項３】
前記複数の超音波探触子は、前記複数の超音波探触子から各々発震される前記超音波同士が前記コンクリート構造物の表面で重なり合うように、前記複数の超音波探触子の前記各振動子間の距離、及び、前記各振動子から前記コンクリート構造物の表面までの距離が設定される、請求項１または２に記載のコンクリート構造物の異物検査システム。
【請求項４】
前記複数の超音波探触子は、一対の超音波探触子である、請求項１乃至３のいずれか一項に記載のコンクリート構造物の異物検査システム。
【請求項５】
コンクリート構造物の表面上に載置され、該表面上に液体を溜める枠状の液槽部と、
各振動子が前記コンクリート構造物の表面に臨んで前記液槽部に溜めた前記液体に浸るよう並列に設けられ、前記コンクリート構造物に向けて超音波を前記各振動子から発震する一対の発震用超音波探触子と、
受振部が前記液体に浸るよう設けられ、前記超音波の反射波を受振する受振用超音波探触子と、
前記一対の発震用超音波探触子及び前記受振用超音波探触子を前記コンクリート構造物の表面に沿い移動可能に支持する支持部材と、
前記一対の発震用超音波探触子から各々発震される超音波の位相をそれぞれ制御する制御部と、
前記受振用超音波探触子からの受振情報を解析し前記コンクリート構造物の内部の異物を認識する解析部と、
を備えた、コンクリート構造物の異物検査装置。
【請求項６】
前記受振用超音波探触子は、前記受振部を一つ有し、前記一対の発震用超音波探触子とは独立して移動可能に前記支持部材に支持されてなる、請求項５に記載のコンクリート構造物の異物検査装置。
【請求項７】
前記液槽部は、前記コンクリート構造物の表面と密接する底部を有して構成される、請求項５または６に記載のコンクリート構造物の異物検査装置。
【請求項８】
複数の超音波探触子から各々発震される超音波の位相をそれぞれ制御する制御工程と、
各振動子がコンクリート構造物の表面の一部または全体を浸す液体に浸るよう設けられた前記複数の超音波探触子の前記各振動子から、前記コンクリート構造物に向けて、前記位相の制御された疎密波からなる超音波を発震する発震工程と、
受振部が前記液体に浸るよう設けられた受振器で前記超音波の反射波を受振する受振工程と、
前記受振器からの受振情報を解析し前記コンクリート構造物の内部の異物を認識する解析工程とを有し、
前記制御工程では、前記コンクリート構造物の表面でせん断波が生起されて該せん断波が前記コンクリート構造物の内部を伝播するよう、前記超音波間に位相差を付与し、
前記受振工程では、前記コンクリート構造物の内部で反射して前記コンクリート構造物の表面でせん断波から疎密波に変換されて前記液体中を伝播する超音波を反射波として受振する、コンクリート構造物の異物検査方法。
【発明の詳細な説明】
【技術分野】
【０００１】
本発明は、コンクリート構造物の異物検査システム、異物検査装置及び異物検査方法に関し、特に、超音波を用いてコンクリート構造物の内部の異物（傷、ジャンカ等を含む）を検査する非破壊検査技術に関する。
【背景技術】
【０００２】
従来、コンクリート構造物に内在する異物（傷、ジャンカ等）の非破壊検査の一つとして、コンクリート構造物の表面に一組の超音波探触子を配設し、一方の探触子からコンクリート構造物に超音波を伝播させ、コンクリート構造物に内在する異物からの反射波を他方の探触子で受振することで探傷を行う超音波探傷検査という手法が公知である。この検査においては、超音波は波長が短いほど分解能が向上することが知られている。
【０００３】
通常、超音波は密度変化を使用して伝播する縦波（疎密波）であるため、上記超音波探傷検査においてコンクリート構造物に垂直に縦波のまま入射させると、コンクリート構造物に異物の存在する孔隙が有る場合、孔隙の上面で反射し易いために減衰して底面まで届かず、底面での反射波を得難いという問題がある。孔隙の底面での反射波を得られないと、コンクリート構造物中の異物を十分に検出できず、好ましいことではない。この問題は、波長が短くなるほど顕著である。
【０００４】
一方、横波（せん断波）は一般に孔隙の影響を受け難いという特性を有していることが知られている。そこで、例えばコンクリート構造物に超音波を斜角に入射させることでコンクリート構造物の内部に縦波（疎密波）ではなく横波（せん断波）を伝播させることが考えられている。
【０００５】
また、最近では、海水中で海底に向けて発震した低周波（例えば、１０〜３００Ｈｚ）の音波を海底で横波に変換し、海底の状態に拘わらず地中に良好に横波を伝播させ、地中に埋蔵された海底資源の安定した探査を可能とした海底資源探査技術が知られている（特許文献１）。
【先行技術文献】
【特許文献】
【０００６】
【特許文献１】特開２０１４−１３７３２０号公報
【発明の概要】
【発明が解決しようとする課題】
【０００７】
上記横波（せん断波）を用いた超音波探傷検査において、超音波探触子をコンクリート構造物の表面に設置し超音波を斜角に入射させてコンクリート構造物の内部に横波を生起させようとする場合、コンクリート構造物の表面に凹凸等があると、屈折角度が安定せず超音波の入射強度が低下するなどし、横波をコンクリート構造物の表面に対し垂直に伝播させることが難しいという問題がある。このように横波をコンクリート構造物の表面に対し垂直に伝播させることができないと、反射波を安定して受振することができず、好ましいことではない。
【０００８】
また、上記特許文献１に開示の技術は、海中（水中）で低周波（例えば、１０〜３００Ｈｚ）の音波を発震して海底資源を探査する技術であり、探査する対象も海底資源であってコンクリート構造物に内在する異物とは大きく異なる。
【０００９】
本発明はこのような課題を解決するためになされたもので、コンクリート構造物の内部の異物を横波（せん断波）を用いて確実に検査可能なコンクリート構造物の異物検査システム、異物検査装置及び異物検査方法を提供することを目的とする。
【課題を解決するための手段】
【００１０】
上記の目的を達成するため、本発明に係るコンクリート構造物の異物検査システムは、コンクリート構造物の表面の一部または全体を浸す液体と、各振動子が前記液体に浸るよう設けられ、前記コンクリート構造物に向けて疎密波からなる超音波を前記各振動子から発震する複数の超音波探触子と、受振部が前記液体に浸るよう設けられ、前記超音波の反射波を受振する受振器と、前記複数の超音波探触子から各々発震される前記超音波の位相をそれぞれ制御する制御装置と、前記受振器からの受振情報を解析し前記コンクリート構造物の内部の異物を認識する解析装置とを備え、前記制御装置は、前記コンクリート構造物の表面でせん断波が生起されて該せん断波が前記コンクリート構造物の内部を伝播するよう、前記複数の超音波探触子から各々発震される前記超音波間に位相差を付与し、前記受振器は、前記コンクリート構造物の内部で反射して前記コンクリート構造物の表面でせん断波から疎密波に変換されて前記液体中を伝播する超音波を反射波として受振する。
【００１１】
好ましくは、前記制御装置は、前記複数の超音波探触子から各々発震される前記超音波間に半周期の位相差を付与するのがよい。
好ましくは、前記複数の超音波探触子は、前記複数の超音波探触子から各々発震される前記超音波同士が前記コンクリート構造物の表面で重なり合うように、前記複数の超音波探触子の前記各振動子間の距離、及び、前記各振動子から前記コンクリート構造物の表面までの距離が設定されるのがよい。
好ましくは、前記複数の超音波探触子は、一対の超音波探触子であるのがよい。
【００１２】
また、本発明に係るコンクリート構造物の異物検査装置は、コンクリート構造物の表面上に載置され、該表面上に液体を溜める枠状の液槽部と、各振動子が前記コンクリート構造物の表面に臨んで前記液槽部に溜めた前記液体に浸るよう並列に設けられ、前記コンクリート構造物に向けて超音波を前記各振動子から発震する一対の発震用超音波探触子と、受振部が前記液体に浸るよう設けられ、前記超音波の反射波を受振する受振用超音波探触子と、前記一対の発震用超音波探触子及び前記受振用超音波探触子を前記コンクリート構造物の表面に沿い移動可能に支持する支持部材と、前記一対の発震用超音波探触子から各々発震される超音波の位相をそれぞれ制御する制御部と、前記受振用超音波探触子からの受振情報を解析し前記コンクリート構造物の内部の異物を認識する解析部とを備える。
【００１３】
好ましくは、前記受振用超音波探触子は、前記受振部を一つ有し、前記一対の発震用超音波探触子とは独立して移動可能に前記支持部材に支持されてなるのがよい。
好ましくは、前記液槽部は、前記コンクリート構造物の表面と密接する底部を有して構成されるのがよい。
【００１４】
また、本発明に係るコンクリート構造物の異物検査方法では、複数の超音波探触子から各々発震される超音波の位相をそれぞれ制御する制御工程と、各振動子がコンクリート構造物の表面の一部または全体を浸す液体に浸るよう設けられた前記複数の超音波探触子の前記各振動子から、前記コンクリート構造物に向けて、前記位相の制御された疎密波からなる超音波を発震する発震工程と、受振部が前記液体に浸るよう設けられた受振器で前記超音波の反射波を受振する受振工程と、前記受振器からの受振情報を解析し前記コンクリート構造物の内部の異物を認識する解析工程とを有し、前記制御工程では、前記コンクリート構造物の表面でせん断波が生起されて該せん断波が前記コンクリート構造物の内部を伝播するよう、前記超音波間に位相差を付与し、前記受振工程では、前記コンクリート構造物の内部で反射して前記コンクリート構造物の表面でせん断波から疎密波に変換されて前記液体中を伝播する超音波を反射波として受振する。
【発明の効果】
【００１５】
本発明のコンクリート構造物の異物検査システム、異物検査装置及び異物検査方法によれば、コンクリート構造物の内部にせん断波を伝播させることで、疎密波では検査し難かった異物の下面をも確認することができ、コンクリート構造物の内部に存在する異物の位置や大きさを良好に認識することができる。
【００１６】
特に、コンクリート構造物の表面を浸す液体中で複数の超音波探触子の各振動子からコンクリート構造物に向けて位相差を有した疎密波からなる超音波を発震し、コンクリート構造物の表面においてせん断波を生起させるようにしているので、従来問題とされた超音波自体の屈折角度を考慮することなく、即ちコンクリート構造物の表面の凹凸等の影響を受けることなく、コンクリート構造物の表面に対し垂直なせん断波をコンクリート構造物の内部に確実に伝播させることができ、受振器により分散の無い安定した反射波を受振でき、コンクリート構造物の内部に存在する異物の位置や大きさを精度良く認識することができる。
【図面の簡単な説明】
【００１７】
【図１】本発明に係るコンクリート構造物の異物検査システムの一実施形態としての異物検査装置の全体構成図である。
【図２】一対の発震用超音波探触子の各振動子の中心間距離である距離Ｌと各振動子からコンクリート構造物までの距離Ｘを示す図である。
【図３】一対の発震用超音波探触子から発震する各超音波のコンクリート構造物の表面への相対入射角度θ（ａ）及び相対入射角度θと横波の振幅との関係（ｂ）を示す図である。
【図４】一対の発震用超音波探触子から発震した超音波のコンクリート構造物の表面での縦波から横波への変換状況（ａ）及びその詳細（ｂ）を示す図である。
【図５】コンクリート構造物の内部で反射した反射波の受振用超音波探触子での受振状況（ａ）及びその詳細（ｂ）を示す図である。
【図６】異物検査装置の変形例を示す図である。
【図７】異物検査装置を用いた実施例の実施状況を示す図である。
【図８】実施例における検査の流れを示す図である。
【図９】実施例における検査結果を画像で示す図である。
【図１０】縦波を用いた比較例における検査結果を画像で示す図である。
【発明を実施するための形態】
【００１８】
以下、本発明の実施形態について図面を用いて説明する。
図１は、本発明に係るコンクリート構造物の異物検査システムの一実施形態としての異物検査装置の全体構成図である。
【００１９】
異物検査装置１０は、コンクリート構造物１の表面上に水（液体）２８を溜めるための水槽部（液槽部）２０と、水槽部２０の外壁２２の上端２３にコンクリート構造物１の表面に沿って渡されたレール（支持部材）３０と、レール３０に沿い並列にレール３０に懸垂（支持）されるとともにレール３０に沿い移動可能な一対の発震用超音波探触子（超音波探触子）４０、４２と、同様にレール３０に懸垂されてレール３０に沿い移動可能な受振用超音波探触子（受振器）５０と、制御ユニット６０とから構成されている。
なお、コンクリート構造物には、アスファルトやモルタル等も含む。
【００２０】
水槽部２０は、例えば樹脂製にして枠状の外壁２２をコンクリート構造物１の表面上に載置するようにして構成されている。外壁２２の下端周縁はコンクリート構造物１の表面と密接可能に例えば軟質の樹脂或いは軟質のラバー材等を一体或いは別体に備えて構成されており、これによりコンクリート構造物１の表面に凹凸があっても水槽部２０に溜められた水の外部への漏洩が防止される。なお、軟質の樹脂或いは軟質のラバー材等に代えて、外壁２２の下端周縁とコンクリート構造物１の表面との間に接着剤等のシール材を充填するようにしてもよい。
【００２１】
水槽部２０は、検査したいコンクリート構造物１の大きさや範囲に応じて底面積が決定され、発震用超音波探触子４０、４２と受振用超音波探触子５０の大きさや発震する超音波の特性や後述する設置条件等に応じて必要な水嵩が定まり、外壁２２の高さＨ（図２参照）が決定されている。そして、異物検査時には、水２８が水槽部２０に上記必要な水嵩位置まで溜められる。
【００２２】
レール３０は、コンクリート構造物１の検査したい場所に応じて水槽部２０の外壁２２の上端２３上を自在に移動させることが可能に構成されている。
【００２３】
一対の発震用超音波探触子４０、４２は、超音波を発震する探触子であり、それぞれコンクリート構造物１の表面に向けて超音波を発震するよう各下面にコンクリート構造物１の表面に臨んで振動子４１、４３を有している。ここに、発震用超音波探触子４０、４２から発震する超音波の周波数は、数十ｋＨｚから数百ｋＨｚであり、検査したいコンクリート構造物１に応じて適宜設定される。そして、発震用超音波探触子４０、４２は、各振動子４１、４３の中心間距離が予め距離Ｌ（図２参照）に設定された状態でスライドブラケット３２を介してレール３０に一体に懸垂されており、レール３０に沿い距離Ｌを保持した状態で一体的に移動可能に構成されている。異物検査時には、発震用超音波探触子４０、４２は、少なくとも各振動子４１、４３を水槽部２０に溜められた水２８に浸した状態とされる。
【００２４】
図２を参照すると、コンクリート構造物１に対する発震用超音波探触子４０、４２の設置条件、具体的には上記距離Ｌと発震用超音波探触子４０、４２の各振動子４１、４３からコンクリート構造物１までの距離Ｘ、ひいては水槽部２０の外壁２２の上端２３、即ちレール３０までの高さＨとが示されており、設置条件である距離Ｌと距離Ｘについて説明する。
【００２５】
異物検査装置１０では、水中で発震用超音波探触子４０、４２の各振動子４１、４３から発震した一対の縦波（疎密波）の超音波をコンクリート構造物１の表面で重ね合わせることでコンクリート構造物１の内部にコンクリート構造物１の表面に対し垂直な横波（せん断波）を伝播させる。このため、図２に示すように、一対の縦波の超音波同士がコンクリート構造物１の表面で確実に重なることが上記設置条件を定めるための要件とされる。
【００２６】
発震用超音波探触子４０、４２から発震する超音波は指向性を有しており、探触子の仕様に応じてその指向角φが超音波の特性等に基づき、次式（１）により設定されている。
φ＝７０×λ／Ｄ  ・・・（１）
ここに、λは超音波の波長であり、Ｄは各振動子４１、４３の直径である。
【００２７】
ところで、コンクリート構造物１の内部に発生させる横波（せん断波）は振幅が大きいほど良好な異物検査が可能である。
【００２８】
図３を参照すると、発震用超音波探触子４０、４２から発震する各超音波のコンクリート構造物１の表面への相対入射角度θ（ａ）が模式的に示され、相対入射角度θと横波の振幅との関係（ｂ）が実測値として示されている。
【００２９】
図３（ｂ）に示すように、横波の振幅は発震用超音波探触子４０、４２から発震した一対の縦波の超音波同士のコンクリート構造物１の表面での相対入射角度θに依存し、相対入射角度θが９０°に近いほど横波の振幅は大きくなり、良好な異物検査が可能である。
【００３０】
発震用超音波探触子４０、４２から同じ特性の超音波を発震する場合、この相対入射角度θの半分のθ／２は、即ち指向角φである。従って、好ましくは、発震用超音波探触子４０、４２から発震する超音波の指向角φはθ／２である４５°に近いことが望ましい。
【００３１】
そして、一対の縦波の超音波をコンクリート構造物１の表面で重ね合わせるためには、図２に発震用超音波探触子４０、４２から発震する超音波の指向性の範囲を示すように、コンクリート構造物１の表面において各超音波同士が指向角φを有した指向性の範囲内で互いに重なり合う必要があり、この要件を満たすべく、次式（２）に基づき距離Ｌと距離Ｘとが適宜設定される。
２×Ｘ×ｔａｎ（７０×λ／Ｄ）＞Ｌ−Ｄ  ・・・（２）
【００３２】
実際には、発震用超音波探触子４０、４２は各筐体がそれぞれ一定の幅寸法を有していることから、距離Ｌは、当該発震用超音波探触子４０、４２の各筐体の幅寸法に応じて最小値が決定され、この最小値以上に設定される。そして、この距離Ｌの値に基づき距離Ｘが設定される。
【００３３】
なお、上述したように、発震用超音波探触子４０、４２から発震する各超音波のコンクリート構造物１の表面への相対入射角度θが９０°に近いほど、即ち発震用超音波探触子４０、４２から発震する超音波の指向角φが４５°に近いほど良好な異物検査が可能である。実際には、指向角φは４５°未満であることが多く、指向角φが４５°未満であるような場合には、相対入射角度θが９０°に近くなるよう、発震用超音波探触子４０、４２の各振動子４１、４３の中心軸が互いに交差するように発震用超音波探触子４０、４２を傾けて設置するようにしてもよい。
【００３４】
このようにすれば、超音波の指向角φが４５°未満と小さく、発震用超音波探触子４０、４２の筐体が比較的大きく距離Ｌを小さくすることが難しいような場合であっても、発震用超音波探触子４０、４２の各振動子４１、４３からコンクリート構造物１までの距離Ｘひいては水槽部２０の外壁２２の上端２３までの高さＨを小さく抑えつつ横波の振幅を大きくすることができる。外壁２２の上端２３までの高さＨを抑えることができると、水槽部２０を小さくでき、全体として異物検査装置１０をコンパクトに構成しながら良好な異物検査を行うことが可能である。
【００３５】
相対入射角度θが９０°となるように発震用超音波探触子４０、４２を傾けて設置する場合には、上記式（１）においてφ＝７０×λ／Ｄ＝４５°と仮定し、上記式（２）においてｔａｎ（７０×λ／Ｄ）＝ｔａｎ４５°＝１とすることができ、次式（３）を得る。
２×Ｘ＞Ｌ−Ｄ  ・・・（３）
【００３６】
受振用超音波探触子５０は、発震用超音波探触子４０、４２からコンクリート構造物１に向けて発震され、コンクリート構造物１の内部で反射した超音波の反射波を受振する探触子であり、下面に受振部５１を有している。そして、受振用超音波探触子５０は、スライドブラケット３４を介してレール３０に懸垂されており、レール３０に沿い発震用超音波探触子４０、４２とは独立して移動可能に構成されている。異物検査時には、受振用超音波探触子５０についても、少なくとも受振部５１を水槽部２０に溜められた水２８に浸した状態とされる。発震用超音波探触子４０、４２については各振動子４１、４３からコンクリート構造物１までを距離Ｘとしたが、受振用超音波探触子５０については、受振部５１からコンクリート構造物１までの距離を上記距離Ｘとしてもよく、距離Ｘに限られず任意でよい。例えば、受振用超音波探触子５０をコンクリート構造物１の表面に接触させるようにしてもよい。
【００３７】
なお、図中、発震用超音波探触子４０、４２に付された「Ｔ」は送信を意味し、受振用超音波探触子５０に付された「Ｒ」は受振を意味する。また、発震用超音波探触子４０、４２や受振用超音波探触子５０は防水処理の施された公知のものであり、それらの構成の詳細については説明を省略する。
【００３８】
制御ユニット６０は、発震用超音波探触子４０、４２に発震信号を出力するとともに受振用超音波探触子５０からの受振信号の入力を受けるパルサーレシーバ６２と、発震信号及び受振信号をデジタル信号とアナログ信号間で変換するＡＤボード６４と、発震信号の位相制御や周波数制御を含む発震波形制御を行う発震波形制御部（制御装置、制御部）７２及び受振信号の信号処理を行い受振信号の解析を実施して異物の認識を行う受振信号処理部（解析装置、解析部）７４を有する制御用ＰＣ（パーソナルコンピュータ）７０と、発震信号及び受振信号を監視したり信号処理したデータを画像として表示したりするためのモニタ８０とを備えて構成されている。
【００３９】
以下、このように構成された異物検査装置１０の作用について説明する。
図４を参照すると、発震用超音波探触子４０、４２から発震した超音波のコンクリート構造物１の表面での縦波から横波への変換状況（ａ）及びその詳細（ｂ）が模式的に示され、図５を参照すると、コンクリート構造物１の内部で反射した反射波の受振用超音波探触子５０での受振状況（ａ）及びその詳細（ｂ）が模式的に示されている。
【００４０】
発震用超音波探触子４０、４２からは、それぞれ同一周波数且つ同一強度の同一特性を有した超音波が発震される。このとき、図４（ａ）に実線（＋）と破線（−）で模式的に示すように、発震用超音波探触子４０と発震用超音波探触子４２とで位相の異なる超音波が発震される。
【００４１】
即ち、制御ユニット６０の制御用ＰＣ７０の発震波形制御部７２において、発震用超音波探触子４０からの超音波と発震用超音波探触子４２からの超音波との間に位相差を付与し（制御工程）、発震用超音波探触子４０から発震した超音波に対し、発震用超音波探触子４２からは位相をずらして超音波が発震される（発震工程）。実際には、ここでは、発震用超音波探触子４０からの超音波（＋で示す）に対し発震用超音波探触子４２からは半周期だけ位相をずらして、即ち逆位相の超音波（−で示す）が発震される。
【００４２】
このように発震用超音波探触子４０、４２からそれぞれ位相をずらして発震された超音波は、水中ではそれぞれ縦波（疎密波）として伝播し、相対入射角度θをもってコンクリート構造物１の表面で重なり合う。図４（ａ）の時点では、コンクリート構造物１の表面において、図４（ｂ）に詳細を示すように、位相差により、図４（ａ）に実線（＋）で示した発震用超音波探触子４０からの超音波についてはコンクリート構造物１の表面を図面の右方向に押すようなせん断成分が生じ（実線矢印）、破線（−）で示した発震用超音波探触子４２からの超音波についてはコンクリート構造物１の表面を図面の右方向に引っ張るようなせん断成分（破線矢印）が生じる。つまり、超音波の位相差により、縦波である超音波の進行方向における疎密の濃度が異なるため、一方が進行波で他方が後退波となり、コンクリート構造物１の表面には同一方向の増幅されたせん断成分が生じる（白抜き矢印）。
【００４３】
このようにコンクリート構造物１の表面で重なり合う超音波によって生じるせん断成分は、次第に図面の左方向に変化し、時間の経過につれて右方向と左方向とで振動が繰り返され、一定の振幅の横波（せん断波）が生起される。そして、この横波はコンクリート構造物１の内部を伝播する。発震用超音波探触子４０、４２からは、それぞれ同一周波数且つ同一強度の超音波が発震されることから、超音波がコンクリート構造物１の表面で生じるせん断成分は左右方向で均等であり、故に、この横波は、コンクリート構造物１の内部をコンクリート構造物１の表面に対し垂直方向に伝播する。
【００４４】
このように生起され、コンクリート構造物１の内部をコンクリート構造物１の表面に対し垂直方向に伝播する超音波の横波は、コンクリート構造物１の内部に異物等の反射源があると、図５（ａ）に示すように、そのまま垂直方向に反射波として反射してコンクリート構造物１の表面に戻る。このとき、反射波も横波であることから、コンクリート構造物１の表面が左右に振動し、水２８を左右に振動させる。しかしながら、水中では横波は伝播しないことから、水中においては、コンクリート構造物１の表面に対し斜め方向に向けた縦波（疎密波）が生起される（実線矢印）。より詳しくは、図５（ｂ）に示すように、コンクリート構造物１の内部からの反射波は、コンクリート構造物１の表面から左右斜め方向に向けて、コンクリート構造物１の表面に沿う方向で最大、垂直方向で最小となるような縦波（実線矢印）を水２８に生じさせる。
【００４５】
そして、縦波に変換されたコンクリート構造物１の内部からの反射波が、受振用超音波探触子５０によって受振される（受振工程）。なお、図５（ａ）では、上記図１の場合とは異なり、コンクリート構造物１の表面に沿う方向に複数の受振部５１を配列し、各受振部５１でそれぞれ受振強度の異なる反射波を一度に受振する受振用超音波探触子５０を例示している。上記図１に示す単一の受振部５１を有した受振用超音波探触子５０の場合には、受振用超音波探触子５０をレール３０に沿い一定間隔Ｐ（図８参照）で順次移動させながら複数の地点で反射波を受振すればよい。ここに、一定間隔Ｐはコンクリート構造物１の厚さ等に応じて適宜設定される。なお、図１に示す単一の受振部５１を有した受振用超音波探触子５０で異物検査装置１０を構成することで、安価にシステムを構成することが可能である。
【００４６】
コンクリート構造物１の一箇所での検査が終わると、発震用超音波探触子４０、４２はレール３０に沿い移動させられ、順次検査が行われる。
【００４７】
受振用超音波探触子５０によって受振された反射波は、制御ユニット６０の制御用ＰＣ７０の受振信号処理部７４において信号処理されて解析され（解析工程）、例えば信号処理したデータが例えばコンクリート構造物１の深さ方向の画像としてモニタ８０に表示される。これにより、モニタ８０に表示された画像に基づき、コンクリート構造物１の内部に存在する異物の深さ方向の位置や大きさを解析することができる。
【００４８】
そして、上記一連の検査が、レール３０を移動させることで繰り返し行われる。これにより、コンクリート構造物１の内部に存在する異物の平面方向の位置や大きさをも解析することができる。
【００４９】
このように、異物検査装置１０では、発震用超音波探触子４０、４２から水中で縦波（疎密波）として発震した超音波をコンクリート構造物１の表面で横波（せん断波）に変換させ、この横波をコンクリート構造物１内にコンクリート構造物１の表面に対し垂直方向に伝播させることで異物の存在を解析することを可能としている。これにより、異物の位置や大きさを良好に解析することができる。即ち、上述したように、縦波（疎密波）の超音波の場合には、孔隙の主に上面のみで反射するために孔隙の底面からの反射波を得難く、結果的に孔隙内に存在する異物の上面の位置は解析できても異物の下面の位置を特定できないという問題があったのであるが、横波の場合には、この孔隙の影響を受け難く、故に孔隙の上面のみならず底面からの反射波を得やすく、コンクリート構造物１の内部に存在する異物の位置や大きさを良好に解析することができる。
【００５０】
また、従来、上述したように、発震用超音波探触子をコンクリート構造物の表面に設置し超音波を斜角に入射させてコンクリート構造物の内部に横波を生起させる場合、コンクリート構造物の表面に凹凸等があると、屈折角度が安定せず超音波の入射強度が低下する等し、横波をコンクリート構造物の表面に対し垂直に伝播させることが難しいという問題があった。しかしながら、異物検査装置１０では、水中を伝播した一対の縦波（疎密波）の超音波の重ね合わせによりコンクリート構造物１の表面で横波（せん断波）を生起させることが可能であるので、超音波自体の屈折角度を考慮する必要がなく、故に、コンクリート構造物１の表面の凹凸等の影響を受けることなく、コンクリート構造物１の表面に対し垂直な横波をコンクリート構造物１の内部に確実に伝播させることができる。これにより、受振用超音波探触子５０により分散の無い安定した反射波を受振でき、コンクリート構造物１の内部に存在する異物の位置や大きさを精度良く解析することができる。
【００５１】
なお、上記実施形態では、発震用超音波探触子４０、４２及び受振用超音波探触子５０をレール３０に沿い例えば手動で移動させるように構成しているが、発震用超音波探触子４０、４２及び受振用超音波探触子５０をレール３０に沿い自動で移動可能に構成するようにしてもよい。
【００５２】
また、上記実施形態では、発震用超音波探触子４０、４２及び受振用超音波探触子５０をレール３０に沿い例えば一方向に１次元で移動可能に構成したが、発震用超音波探触子４０、４２及び受振用超音波探触子５０を２次元で移動可能にレール（支持部材）を構成するようにしてもよい。
【００５３】
また、上記実施形態では、水槽部２０の外壁２２の下端周縁に例えば軟質の樹脂或いは軟質のラバー材等を備え、水槽部２０に溜められた水２８の外部への漏洩を防止するようにしたが、必ずしも外壁２２の下端周縁に軟質の樹脂或いは軟質のラバー材等を備えなくてもよい。この場合には、水槽部２０の水２８は外部へ漏洩し易くなるが、発震用超音波探触子４０、４２の各振動子４１、４３及び受振用超音波探触子５０の受振部５１が常に水２８に浸された状態となるように、水槽部２０へ水２８を供給し続けるようにすればよい。
【００５４】
また、上記実施形態では、コンクリート構造物１の表面が上方向を向いている場合を例に、水槽部２０に水を溜めるようにしてコンクリート構造物１の内部の異物を検査するようにしたが、コンクリート構造物１の表面が横方向や下方向を向いている場合であっても、例えば海や河川に構築された橋脚等にあっても、異物検査装置１０を用いて良好に検査を行うことができる。即ち、海や河川に構築された橋脚等の場合には、周囲が水で満たされているので、水槽部２０をコンクリート構造物１の表面に設置するだけで水槽部２０の内部を水で満たすようにでき、異物検査装置１０を適用することが可能である。
【００５５】
また、上記実施形態では、制御ユニット６０により発震用超音波探触子４０、４２から発震する超音波に位相差を設けるように制御したが、例えばコンクリート構造物１の表面から発震用超音波探触子４０の振動子４１までの距離とコンクリート構造物１の表面から発震用超音波探触子４２の振動子４３までの距離とを違えることで超音波に位相差を設けることも可能である。
【００５６】
また、上記実施形態では、水槽部２０に水を溜めるようにしたが、水槽部２０に溜める液体は水に限られるものではない。
【００５７】
また、上記実施形態では、一対の発震用超音波探触子４０、４２として２個の発震用超音波探触子を用いて異物検査装置１０を構成したが、発震用超音波探触子を３個以上の複数で構成することも可能である。これにより、横波の波形を自在に変化させることが可能である。
【００５８】
図６を参照すると、変形例として異物検査装置１０’が示されている。
異物検査装置１０’は、上記異物検査装置１０と基本構成は同じであるものの、水槽部２０’が枠状の外壁２２とともに底部２６を有して構成されている。即ち、異物検査装置１０’は、コンクリート構造物１の表面に水ではなく底部２６が接するように水槽部２０’が構成されている。
【００５９】
底部２６は、コンクリート構造物１の表面と密接するとともにコンクリート構造物１の表面上で滑らないような部材で構成される。ここでは、底部２６は、例えばラバー材等で構成される。
【００６０】
このように、底部２６を有した水槽部２０’を備えた異物検査装置１０’を用いると、水槽部２０’に水を溜めた状態で水槽部２０’を移動でき、異物検査装置１０’のコンクリート構造物１の表面上への設置が容易となり、異物検査の作業性が向上する。
【００６１】
なお、このように底部２６を有した水槽部２０’を備えた異物検査装置１０’であっても、発震用超音波探触子４０、４２から発震され水中を伝播する縦波の超音波は底部２６の表面或いはコンクリート構造物１の表面にて良好に横波に変換され、横波としてコンクリート構造物１の内部に伝播し、上記同様の効果を得ることができる。
【実施例】
【００６２】
図７に実施状況を示すように、内部に異物としての砂層Ａ、砂層Ｂ及び砂層Ｃが存在する縦２０００mm、横２０００mm、厚さ１５００mmのコンクリート構造物１０１を上記図１の異物検査装置１０を用いて検査した。
【００６３】
砂層Ａ及び砂層Ｂについては、それぞれ縦５００mm、横５００mm、厚さ５０mmの層であり、それぞれコンクリート構造物１０１の表面から３００mmの位置に５００mmの間隔を有し且つコンクリート構造物１０１の表面に対し平行となるよう存在させた。
【００６４】
砂層Ｃについては、縦１０００mm、横１０００mm、厚さ５０mmの層であり、一部が上下方向で砂層Ａ及び砂層Ｂと重なり、中心部がコンクリート構造物１０１の表面から７５０mmに位置し、コンクリート構造物１０１の表面に対し１０°傾くように存在させた。
【００６５】
異物検査装置１０の構成は上述したとおりであり、発震用超音波探触子４０、４２の各振動子４１、４３の直径Ｄを４０mmとし、超音波の周波数を１００ｋＨｚとし、各振動子４１、４３の中心間距離である距離Ｌは上記式（１）、（２）に基づき５０mmに設定し、発震用超音波探触子４０、４２の各振動子４１、４３からコンクリート構造物１までの距離Ｘは３０mmに設定した。また、受振用超音波探触子５０は単一の受振部５１を有して構成した。そして、水槽部２０に水２８を溜め、発震用超音波探触子４０、４２及び受振用超音波探触子５０を完全に水に浸した状態とした。
【００６６】
検査は、発震用超音波探触子４０、４２から１００ｋＨｚの超音波を発震し、図８に検査の流れを模式図で示すように、受振用超音波探触子５０を６．２５mmの一定間隔Ｐで順次移動させながら６４箇所で反射波を受振するという作業を発震用超音波探触子４０、４２を６．２５mmの一定間隔で移動させながら繰り返し行い、さらにこの一連の作業をレール３０を移動させて繰り返し行った。この一連の作業における発震用超音波探触子４０、４２の移動範囲は、図７に示すように、位置Ｓ1から位置Ｓ2の１２５０mmの範囲とした。
【００６７】
図９は、上記検査により受振用超音波探触子５０によって受振された受振波を制御ユニット６０の制御用ＰＣ７０において信号処理し、その深さ方向のデータをモニタ８０に表示した画像である。
【００６８】
図９によれば、コンクリート構造物１０１の表面から３００mm付近の位置に砂層Ａ及び砂層Ｂの上面を明瞭に確認できるとともに、表面から３５０mm〜４５０mm付近の位置に砂層Ａ及び砂層Ｂの下面を確認できる。また、コンクリート構造物１０１の表面から６５０mm〜８００mm付近の位置に砂層Ｃの傾斜した上面を確認できるとともに表面から７００mm〜９００mm付近の位置に砂層Ｃの傾斜した下面を確認できる。
【００６９】
図１０には、比較例として、上記コンクリート構造物１０１に対し上記図１の異物検査装置１０を用いて例えば発震用超音波探触子４０、４２から縦波（疎密波）の超音波を横波を生起しないよう同位相でコンクリート構造物１０１の表面に垂直に発震し、縦波の超音波をコンクリート構造物１０１の内部に伝播させ、その縦波の反射波を信号処理し、その深さ方向のデータを図９と同様にモニタ８０に表示した場合の画像を示す。
【００７０】
図１０によれば、縦波の超音波をコンクリート構造物１０１の内部に伝播させる場合には、コンクリート構造物１０１の表面から２００mm付近の位置に砂層Ａ及び砂層Ｂの上面を確認できるものの、砂層Ａ及び砂層Ｂの各下面については不明瞭であり、コンクリート構造物１０１の表面から４５０mm〜５００mm付近の位置に砂層Ｃの上面の一部を確認できるものの、砂層Ｃの下面については不明瞭である。即ち、縦波の超音波をコンクリート構造物１０１の内部に伝播させた場合には、砂層Ａ及び砂層Ｂの上面と思われる部分や砂層Ｃの上面と思われる部分の一部については確認できるものの、それらの位置は不正確であり、砂層Ａ、砂層Ｂ及び砂層Ｃの何れについても下面の位置を確認できない。
【００７１】
このように、異物検査装置１０によりコンクリート構造物１０１の内部に横波を生起させ伝播させた場合には、縦波の超音波をコンクリート構造物１０１の内部に伝播させた場合と比較し、確実に異物を検出することが可能であることが確認された。
【符号の説明】
【００７２】
１、１０１  コンクリート構造物
１０、１０’  異物検査装置
２０、２０’  水槽部（液槽部）
２２  外壁
２６  底部
２８  水（液体）
３０  レール（支持部材）
４０、４２  発震用超音波探触子（超音波探触子）
４１、４３  振動子
５０  受振用超音波探触子（受振器）
５１  受振部
６０  制御ユニット
７０  制御用ＰＣ
７２  発震波形制御部（制御装置、制御部）
７４  受振信号処理部（解析装置、解析部）
８０  モニタ
【図１】
0006533458.tif 000002
【図２】
0006533458.tif 000003
【図３】
0006533458.tif 000004
【図４】
0006533458.tif 000005
【図５】
0006533458.tif 000006
【図６】
0006533458.tif 000007
【図７】
0006533458.tif 000008
【図８】
0006533458.tif 000009
【図９】
0006533458.tif 000010
【図１０】
0006533458.tif 000011